(57)【要約】      （修正有）【課題】多機能な使用が可能な、複合型接続装置を提供する。【解決手段】接続装置１０と、開閉式蓋体１１とからなる。接続装置内部には、電池保護モジュールと電圧変換モジュールの中のいずれか一つが設けられるか、或は、電圧変換モジュールと電池保護モジュールが電気的に接続されて設けられる。接続装置の一端には出力ポートが設けられ、接続装置の他端には接続ポート１２が設けられる。接続ポートは、ＥＣ５コネクタであるとともに、電池保護モジュールと電気的に接続される。出力ポートは、電圧変換モジュールと電気的に接続される。開閉式蓋体は、接続装置の一端に設けられるとともに、接続装置の出力ポートの位置と対応する。以上の構造により、接続ポートが外部の充電池と接続された後、大電流を出力して電子機器に提供するとともに、電池保護モジュールが外部の充電池に対して低電圧保護及び過電流保護を行う。【選択図】図１
0003198702.tif 000002
【実用新案登録請求の範囲】
【請求項１】
複合型接続装置であって、
前記接続装置内部には、電圧変換モジュールと電池保護モジュールが設けられ、
前記電圧変換モジュールと前記電池保護モジュールは、電気的に接続され、
更に、前記接続装置の一端には、出力ポートが設けられ、前記接続装置の他端には、接続ポートが設けられ、
前記接続ポートは、ＥＣ５コネクタであるとともに、前記接続ポートは前記電池保護モジュールと電気的に接続され、
前記出力ポートは、前記電圧変換モジュール、及び前記電池保護モジュールと電気的に接続されることを特徴とする、複合型接続装置。
【請求項２】
前記出力ポートは、更に電動工具と接続されることを特徴とする、請求項１に記載の複合型接続装置。
【請求項３】
前記接続装置には、更に開閉式蓋体が設けられ、
前記開閉式蓋体は、前記接続装置の一端に設けられるとともに、前記開閉式蓋体は前記接続装置の前記出力ポートの位置と対応することを特徴とする、請求項１に記載の複合型接続装置。
【請求項４】
前記接続装置の他端における前記接続ポートは、更に接続コードと接続されることを特徴とする、請求項１或は請求項３に記載の複合型接続装置。
【請求項５】
前記出力ポートは、シガーライター差込口であることを特徴とする、請求項１に記載の複合型接続装置。
【考案の詳細な説明】
【技術分野】
【０００１】
本考案は、複合型接続装置に関し、特に、接続装置に接続ポートと出力ポートが設けられ、前記接続ポートはＥＣ５コネクタであり、前記接続装置内には電池保護モジュールと電圧変換モジュールが設けられ、更に、前記接続ポートが外部の充電池と接続された後、大電流を出力して電子機器に提供するとともに、前記電池保護モジュールが外部の充電池に対して低電圧保護及び過電流保護を行い、以上により多機能な使用を可能にする、複合型接続装置に関する。
【背景技術】
【０００２】
現在一般に市販されているモバイル電源内部の充電池は、使用寿命が限られており、寿命になって、使用者が内部の充電池を交換するために開ける時、開けられたケース体が破損して、モバイル電源自体まで破棄しなければならなくなる場合がある。
【０００３】
また、一般に市販されている従来のモバイル電源は、多くがＵＳＢ差込口を使用しており、例えば携帯電話や動作電圧が５Ｖで済むタブレット型パソコンなどに電源を供給している。しかし、より高い出力電圧を必要とする使用者にとって、大部分の既存のモバイル電源の規格では、より高い電圧／電流出力が出来ないため、動作電圧が５Ｖ以上の電子製品（例えばノート型パソコン等のモバイル式電子機器）に用いることが出来ない。（高電圧出力での使用が可能な構造については、図１を参照。）また、市販されている高機能モバイル電源も選択肢の一つである。前記高機能モバイル電源は、ＥＣ５コネクタが大電流を出力し、ブースターケーブルを通して車体のバッテリーを充電することにより、車両救援のために用いられる。ＥＣ５コネクタは大電流を出力するものの、内部に電池保護部品がないため、内部の充電池が低電圧保護の無い状態で過度に放電して寿命を縮めやすいという欠点がある。よって、前記モバイル電源のＥＣ５コネクタは、その他の用途に使用する時に不便だという欠点がある。
【考案の概要】
【考案が解決しようとする課題】
【０００４】
現在のモバイル電源における使用上の不便さという欠点に鑑み、本考案は、接続装置に接続ポートと出力ポートが設けられ、前記接続ポートはＥＣ５コネクタであり、前記接続装置内には電池保護モジュールと電圧変換モジュールが設けられ、更に、前記接続ポートが外部の充電池と接続された後、大電流を出力して電子機器に提供するとともに、前記電池保護モジュールが外部の充電池に対して低電圧保護及び過電流保護を行い、以上により多機能な使用を可能にする、複合型接続装置を提供することを目的とする。
【課題を解決するための手段】
【０００５】
上述の目的を達成するために、本考案の複合型接続装置は、接続装置と、開閉式蓋体とからなる。
【０００６】
前記接続装置内部には、電池保護モジュールと電圧変換モジュールの中のいずれか一つが設けられるか、或は、前記電圧変換モジュールと前記電池保護モジュールが電気的に接続されて設けられる。前記接続装置の一端には、出力ポートが設けられ、前記接続装置の他端には、接続ポートが設けられる。前記接続ポートは、ＥＣ５コネクタであるとともに、前記接続ポートは前記電池保護モジュールと電気的に接続される。また前記出力ポートは、前記電圧変換モジュールと電気的に接続される。
【０００７】
前記開閉式蓋体は、前記接続装置の一端に設けられるとともに、前記開閉式蓋体は前記接続装置の出力ポートの位置と対応する。
【考案の効果】
【０００８】
本考案の複合型接続装置は、前記接続装置に接続ポートと出力ポートが設けられ、前記接続ポートはＥＣ５コネクタであり、前記接続装置内には電池保護モジュールと電圧変換モジュールが設けられる。更に、前記接続ポートが外部の充電池と接続された後、大電流を出力して電子機器に提供することが出来る。加えて、前記電池保護モジュールによって、外部の充電池に対する低電圧保護及び過電流保護の効果が得られる。以上により、本考案は多機能な使用という目的を達成することが出来る。
【図面の簡単な説明】
【０００９】
【図１】本考案の斜視組立図である。
【図２】本考案の接続ポートに接続コードが設けられた様子を示した概略図である。
【図３】本考案を外部の着脱式充電池に用いた様子を示した斜視分解図である。
【図４】本考案を外部の充電池に用いた様子を示した概略図である。
【図５】本考案の出力ポートがシガーライター差込口である場合の概略図である。
【図６】本考案の出力ポートがＵＳＢ差込口である場合の概略図である。
【図７】本考案の接続装置のフローチャートである。
【図８】本考案が電動工具に給電している様子を示した概略図である。
【考案を実施するための形態】
【００１０】
（実施例１）
図１、図７を参照する。本考案の複合型接続装置は、接続装置１０と、開閉式蓋体１１とからなる。
【００１１】
接続装置１０内部には、電池保護モジュール１０１と電圧変換モジュール１０２の中のいずれか一つが設けられるか、或は、電圧変換モジュール１０２と電池保護モジュール１０１が電気的に接続されて設けられる。また接続装置１０一端には、出力ポート１４が設けられ、接続装置１０他端には、接続ポート１２が設けられる。接続ポート１２は、ＥＣ５コネクタであるとともに、接続ポート１２は電池保護モジュール１０１と電気的に接続される。出力ポート１４は、電圧変換モジュール１０２及び電池保護モジュール１０１と電気的に接続される。
【００１２】
開閉式蓋体１１は、接続装置１０一端に設けられるとともに、開閉式蓋体１１は接続装置１０の出力ポート１４の位置と対応することにより、接続装置１０の出力ポート１４に埃が付着することを防ぐ。
【００１３】
（実施例２）
接続装置１０の出力ポート１４は、例えばシガーライター差込口４０である（図５を参照）。
【００１４】
（実施例３）
また、接続装置１０の出力ポート１４は、例えばＵＳＢ差込口５０である（図６を参照）。
【００１５】
（実施例４）（実施例５）
図２、図４を参照する。本考案の接続装置１０他端の接続ポート１２には、更に接続コード１３が接続される。接続コード１３と外部の電源装置３０（例えば充電池）が電気的に接続された後、本考案を通じて電源装置３０が外部の電子機器に給電することが出来る。続いて、図８を参照する。本考案の接続装置１０における接続ポート１２と外部の着脱式充電池２０が電気的に接続された後、接続装置１０一端に設けられた出力ポート１４が電源コードによって電動工具６０と電気的に接続される。更に、接続装置１０内部に設けられた電圧変換モジュール１０２によって電圧変換されることにより、交流や直流の高電圧出力が可能になる。以上により、本考案は多機能な使用という目的を達成するとともに、充電・給電の効果を得ることが出来る。
【００１６】
（実施例６）
図３を参照する。本考案の接続装置１０は、外部の着脱式充電池２０における電源出力ポート２１に差込まれて使用される。また、接続装置１０他端に設けられた接続ポート１２はＥＣ５コネクタであるため、着脱式充電池２０の電源出力ポート２１が大電流を出力することが出来る。更に本考案は、出力ポート１４がブースターケーブルによって車体のバッテリーと接続された後、バッテリーを充電することが出来る。加えて、本考案の接続装置１０を通して外部の電子機器を使用する時、接続装置１０内に設けられた電池保護モジュール１０１によって、着脱式充電池２０に対する低電圧保護及び過電流保護の効果が得られる。
【００１７】
よって、本考案は異なる電圧や電流の出力に対応するとともに、接続装置１０内に設けられた電池保護モジュール１０１により、電流出力保護の効果が得られ、車両救援目的に使用することが可能になる。また、接続装置１０内の電池保護モジュール１０１を電圧変換モジュール１０２と交換することにより、電圧変換の効果が得られ、交流、或は直流の高電圧出力が可能になる。以上により、多機能な使用という目的を達成する。
【符号の説明】
【００１８】
（本考案）
１０   接続装置
１０１ 電池保護モジュール
１０２ 電圧変換モジュール
１１   開閉式蓋体
１２   接続ポート
１３   接続コード
１４   出力ポート
２０   着脱式充電池
２１   電源出力ポート
３０   電源装置
４０   シガーライター差込口
５０   ＵＳＢ差込口
６０   電動工具
【図１】
0003198702.tif 000003
【図２】
0003198702.tif 000004
【図３】
0003198702.tif 000005
【図４】
0003198702.tif 000006
【図５】
0003198702.tif 000007
【図６】
0003198702.tif 000008
【図７】
0003198702.tif 000009
【図８】
0003198702.tif 000010